(57)【要約】【課題】  イヤホン装置において、装着性向上と駆動音の品質向上を図る。【解決手段】  ケース本体３１内には振動膜４５と音声信号によってそれを駆動発音する駆動部４７を配置する。発音された音を外部に導く音通孔５３を形成する音通筒体５５をケース本体３１の前面側から突出させる。音通筒体５５は、ケース本体３１を上面側又は下面側から見たとき、音通孔５３の中心軸Ｘ１がケース本体３１の前後を結ぶ中心軸Ｘ２と交わらない状態で、ケース本体３１の左半分側又は右半分側に寄せて形成される。音通筒体５５は、音通孔５３の中心軸Ｘ１が左半分側に位置するとき、その音通筒体５５は左側斜め上方向に、その音通孔５３の中心軸Ｘ１が右半分側に位置するとき、その音通筒体５５は右側斜め上方向に突出する。【選択図】  図４
2015005790.tif 000002
【特許請求の範囲】
【請求項１】
ケース本体と、
このケース本体内に支持された振動膜と、
この振動膜に対面するように前記ケース本体の前面側から突出するよう形成され、前記振動膜の振動によって発音された音を外部に向けて導く音通孔を形成する音通筒体と、
前記ケース本体内に形成され、印加された音声信号によって前記振動膜を駆動させる駆動部と、
を具備し、
前記音通筒体は、前記ケース本体を上面側又は下面側から見たとき、前記音通孔の中心軸が前記ケース本体の前後を結ぶ中心軸と交わらない状態で、前記ケース本体の左半分側又は右半分側に寄せて形成されるとともに斜め上方向に突出されてなることを特徴とするイヤホン装置。
【請求項２】
前記音通筒体は、左耳用イヤホン装置では、前記ケース本体の前記左半分側において斜め上方向に突出されてなり、右耳用イヤホン装置では、前記ケース本体の前記右半分側において斜め上方向に突出されてなる請求項１記載のイヤホン装置。
【請求項３】
前記音通筒体は、この中心軸が前記ケース本体を通る垂直面から４５°〜８５°の角度で斜め上方向に突出するよう形成されてなる請求項１又は２記載のイヤホン装置。
【請求項４】
前記音通孔の中心点が前記ケース本体前面の左半分又は右半分の領域において、９０°未満の角度領域に位置するよう、前記音通筒体が形成されてなる請求項１〜３いずれか１記載のイヤホン装置。
【請求項５】
前記ケース本体は、前記音通筒体の付け根近傍にて外側に向けて膨出形成されてなる請求項１〜４いずれか１記載のイヤホン装置。
【発明の詳細な説明】
【技術分野】
【０００１】
本発明はイヤホン装置に係り、例えば、使用者の耳に装着して好適するイヤホン装置の改良に関する。
【背景技術】
【０００２】
従来、使用者の耳に装着するイヤホン装置としては、例えば図１０に示すように、ケース本体１内に配置したカップ状ヨーク３内に円柱状マグネット５の一方の端面を固定し、マグネット５の他方の端面との間で間隔を置いて対面するように薄い振動膜７をヨーク３の先端に固定してヨーク３の開口部を覆い、振動膜７に固定した円筒状コイル９をマグネット５の外周に僅かな間隔を置いて挿入配置した構成が良く知られている。
【０００３】
ケース本体１は、ロート状の基部１ａとこの先端（図中右側）を覆う前面カバー１ｂからなり、ヨーク３の開口部先端が前面カバー１ｂ内に固定され、前面カバー１ｂに複数の音通孔１１が貫通形成され、コイル９に接続されたケーブル１３が外部へ導出されている。
【０００４】
このイヤホン装置では、振動膜７を振動させる駆動部１５をマグネット５およびコイル９によって形成し、外部からケーブル１３でコイル９に音声信号を印加することによって振動膜７を振動させて発音させ、発音された音が振動膜７の前面の音通孔１１から外部へ伝搬される。
【０００５】
そして、この種のイヤホン装置は、例えば外耳道挿入型の構成にして実際に製品化される。
【０００６】
外耳道挿入型イヤホン装置としては、水平方向の断面である例えば図１１に示すように図１０の構成を若干変更した構成を有し、使用者の耳珠１７、対珠１９、耳甲介２１で囲まれた耳甲介腔２３内に、振動膜７を耳甲介２１に近接させるようにしてケース本体１を挿入するとともに、耳甲介腔２３から鼓膜（図示せず）へ延びる外耳道２５内へ、ケース本体１の前後を結ぶ中心軸に対して斜め横に突設させた音通筒体２７を挿入して使用する構成を有している。
【０００７】
なお、図１１は左側の耳に装着した状態を示しており、同図中の符号２９は音通筒体２７外周に嵌めた可撓性のイヤーチップ（イヤパット、イヤピース）であって、外耳道２５内壁に弾性的に当接する。
【０００８】
ところで、この種のイヤホン装置の公知例としては、例えば特開２００７−１８９４６８号公報（特許文献１）がある。
【０００９】
この特許文献１は、ハウジングと、このハウジングの前面に突設した状態で取り付けられた音導管とを有し、その音導管がハウジング前部中点より真横方向外側に配置され、音導管先端部がハウジング前部中点から離れる方向に向けられてなる構成であり、使用者がイヤホン装置を耳に装着した際の装着性が良く、高音質な音を聴取させることができるようにしたものである。
【先行技術文献】
【特許文献】
【００１０】
【特許文献１】特開２００７−１８９４６８号公報
【発明の開示】
【発明が解決しようとする課題】
【００１１】
しかしながら、上述したイヤホン装置は、ケース本体１の前後を結ぶ中心軸のある水平面上で左側斜め横に突設させた音通筒体２７を外耳道２５に挿入して使用する構成となっているものの、使用者が耳に装着した際、必ずしも装着性が良好であるとは言い難いことが分かった。上述した特許文献１も同様の難点を有している。
【００１２】
そこで、本発明者は、使用者の耳の構造をよく観察検討したところ、以下のことが分かった。
【００１３】
すなわち、使用者の耳構造を外部から観察したとき、左右の個々の耳において、対向する耳珠１７および対珠１９とその奥に耳甲介内２１とがあり、それら耳珠１７、対珠１９および耳甲介２１によって耳甲介腔２３が形成され、この耳甲介２１の一部から外耳道２５が使用者の頭部内へ延び、しかも、その外耳道２５は、一般的に使用者が直立状態で上向き方向に開孔し、かつ耳珠１７で半分塞がれるように位置している。
【００１４】
このような耳構造において、イヤホン装置が快適に装着される条件は以下の点である。
【００１５】
（１）可撓性のイヤーチップ２９の外周が、可能な限り均一な圧力で外耳道２５に圧接されること。
（２）イヤーチップ２９の付け根近傍において、ケース本体１の一部が適度な圧力で耳珠１７近傍に圧接されること。
（３）耳甲介腔２３にケース本体３１が収容された使用状態でそれら（１）および（２）を満たすこと。
【００１６】
そして、それらの耳構造や装着条件を考慮してイヤホン装置を構成しないと、使用者にとっての装着性向上に繋がり難い点を見い出し、本発明を完成させた。
【００１７】
本発明はそのような課題を解決するためになされたもので、装着性の向上および駆動音の高品質化の双方が可能なイヤホン装置の提供を目的とする。
【課題を解決するための手段】
【００１８】
そのような課題を解決するために本発明のイヤホン装置は、ケース本体と、このケース本体内に支持された振動膜と、この振動膜に対面するようにそのケース本体の前面側から突出するよう形成され、その振動膜の振動によって発音された音を外部に向けて導く音通孔を形成する音通筒体と、そのケース本体内に形成され、印加された音声信号によって振動膜を駆動させる駆動部と、を具備し、その音通筒体は、ケース本体を上面側又は下面側から見たとき、音通孔の中心軸がそのケース本体の前後を結ぶ中心軸と交わらない状態で、ケース本体の左半分側又は右半分側に寄せて形成されるとともに斜め上方向に突出されてなる構成である。
【００１９】
本発明のイヤホン装置は、上記音通筒体が、左耳用イヤホン装置では、そのケース本体の左半分側において斜め上方向に突出されてなり、右耳用イヤホン装置では、そのケース本体の右半分側において斜め上方向に突出されてなる構成も可能である。
【００２０】
本発明のイヤホン装置は、上記音通筒体が、この中心軸がケース本体を通る垂直面から４５°〜８５°の角度で斜め上方向に突出するよう形成されてなる構成も可能である。
【００２１】
本発明のイヤホン装置は、上記音通孔の中心点がケース本体前面の左半分又は右半分の領域において、９０°未満の角度領域に位置するよう、上記音通筒体が形成されてなる構成も可能である。
【００２２】
本発明のイヤホン装置は、上記ケース本体が、その音通筒体の付け根近傍にて外側に向けて膨出形成されてなる構成も可能である。
【発明の効果】
【００２３】
このような本発明のイヤホン装置では、ケース本体の前面側から突出するよう形成した音通筒体について、ケース本体を上面側又は下面側から見たとき、音通孔の中心軸がそのケース本体の前後を結ぶ中心軸と交わらない状態で、ケース本体の左半分側又は右半分側に寄せて形成されるとともに斜め上方向に突出されてなるから、装着性の向上および駆動音の高品質化の双方が可能となる。
【００２４】
本発明のイヤホン装置において、音通筒体が、左耳用イヤホン装置では、そのケース本体の左半分側において斜め上方向に突出され、右耳用イヤホン装置では、そのケース本体の右半分側において斜め上方向に突出されてなる構成では、左右の耳に対応した専用構成において、上述した効果が得られる。
【００２５】
本発明のイヤホン装置において、音通筒体が、この中心軸がケース本体を通る垂直面から４５°〜８５°の角度で斜め上方向に突出するよう形成する構成では、特に、上述した効果が確実に得られる。
【００２６】
さらに、本発明のイヤホン装置において、上記音通孔の中心点がケース本体前面の左半分又は右半分の領域において、９０°未満の角度領域に位置するよう、上記音通筒体が形成されてなる構成では、特に、上述した効果が確実に得られる。
【００２７】
本発明のイヤホン装置において、上記ケース本体が、その音通筒体の付け根近傍にて外側に向けて膨出形成されてなる構成では、音通筒体をケース本体の左半分側又は右半分側に大きく寄せて形成可能となり、種々の使用者の耳構成に対応可能である。
【図面の簡単な説明】
【００２８】
【図１】本発明に係るイヤホン装置の実施の形態を示す縦断面図（図２中のＡ−Ａ間断面）である。
【図２】図１のイヤホン装置を示す側面図である。
【図３】図１のイヤホン装置を示す縦断面図（図２中のＢ−Ｂ間断面）である。
【図４】図１のイヤホン装置における要部である音通筒体の突出状態を説明する概略図である。
【図５】図１のイヤホン装置を示す別の側面図である。
【図６】図１のイヤホン装置を示す正面図および横断面図（同図中のＣ−Ｃ間断面）である。
【図７】図１のイヤホン装置を製品化して使用した状態を説明する概略図である。
【図８】本発明のイヤホン装置に係る別の構成を示す正面図および側面図である。
【図９】図８のイヤホン装置を製品化して使用した状態を説明する概略図である。
【図１０】従来のイヤホン装置を示す縦断面図である。
【図１１】従来のイヤホン装置を使用例とともに示す縦断面図である。
【発明を実施するための最良の形態】
【００２９】
以下、本発明に係るイヤホン装置の実施の形態を図面を参照して説明する。一部の構成は従来例と同一の符号を付す。
【００３０】
図１〜図３は本発明に係るイヤホン装置の実施の一形態を示す縦断面図および側面図であり、図１は図２中のＡ−Ａ間断面、図３は図２中のＢ−Ｂ間断面である。
【００３１】
図１〜図３において、ケース本体３１は、絶縁性合成樹脂から有底の細長い筒形形状に成形され横置きされた基部３１ａと、この基部３１ａの開放端側に被せるようにそれを塞いて固定された前面カバー３１ｂとを有して形成されている。
【００３２】
ケース本体３１の外形形状は、一般的な大人の使用者における耳甲介腔２３内に多少の遊びをもって収納可能に選定されている。
【００３３】
基部３１ａは、その底部内側に凹部３３を有し、その底部外側（図１および図３中右側）には、左右の用途を示す符号Ｌ（Ｒ）や型番（図示せず）等を刻印する銘板３５が被せられている（図２参照）。図１〜図３は例えば左耳（Ｌ）用である（以下同じ。）。
【００３４】
基部３１ａの凹部３３から開放端側（図１および図３中左側）は若干大径の収納スペース３７となってロート状を有し、この収納スペース３７にイヤホン装置の発音主要部が配置されている。
【００３５】
発音主要部は、磁性体板からなるカップ状のヨーク３９、円柱状の着磁マグネット４１、絶縁性樹脂フィルムからなる円板状の薄い振動膜４３および円筒状のコイル４５を有してなり、マグネット４１およびコイル４５によってコイル４５の駆動部４７が形成されている。
【００３６】
それらヨーク３９、円柱状のマグネット４１、円板状の振動膜４３およびコイル４５は、軸を一致させた同軸状に配置され、基部３１ａの開放端側に向いている。
【００３７】
ヨーク３９は、開放部を前面カバー３１ｂ側に向けるとともに前面カバー３１ｂの内側にし、基部３１ａ近傍に開放先端部が固定されている。
【００３８】
マグネット４１は、この一方の端面がヨーク３９の内底部中央に固定され、他方の端面がヨーク３９の開放部まで延びている。
【００３９】
振動膜４３は、ヨーク３９の開放端部に固定されてマグネット４１の他方の端面と僅かな間隔を置いて対面している。
【００４０】
コイル４５は、導線（図示せず）を円筒状に巻いて一体化したものであり、片方の端面が振動膜４３の裏面中央領域に固定され、他方の端面側がマグネット４１の外周を延び、マグネット４１の外周と僅かな間隔を置いて対面している。
【００４１】
コイル４５を形成する導線の両端は、振動膜４３上を介して図示しない絶縁被覆リード線によって基部３１ａ外側の端子４９まで延び、端子４９に接続されている。
【００４２】
端子４９にはケーブル５１が接続され、このケーブル５１が基部３１ａの凹部３３を介して外部へ貫通し、下方へ垂下するように延びている。ケーブル５１は凹部３３内で抜け防止用に結び目が形成されている。
【００４３】
ケーブル５１を介して音声信号をコイル４５に印加すると、音声信号に従ってコイル４５に応力が加わり、コイル４５の固定された振動膜４７が振動発音する。
【００４４】
この基部３１ａの開放端側を塞ぐ前面カバー３１ｂは、絶縁性合成樹脂からキャップ状に成形されて基部３１ａの開放端に固定されてなり、前面カバー３１ｂには、ケース本体３１内部と外部を連通する細長い音通孔５３を形成する音通筒体５５が、基部３１ａの一部分から突出するように一体的に形成されている。
【００４５】
音通筒体５５は、ケーブル５１の導出方向を下方向として、ケース本体３１を上面側又は下面側から見たとき、例えば上面側から見た図４Ａに示すように、音通孔５３の中心軸Ｘ１が、ケース本体３１の前面カバー３１ｂを横切って前後を結ぶ中心軸Ｘ２と交わらない並行な状態で、ケース本体３１の左半分側に寄って位置するよう形成されている。図では、音通筒体５５の厚み部が中心軸Ｘ２上又はこの近傍に位置している。
【００４６】
しかも、音通筒体５５は、図４Ａ中で右側から左側を見たとき、音通孔５３の中心軸Ｘ１がケース本体３１の左半分側に位置し、左側斜め上方向に突出するよう形成されている。
【００４７】
すなわち、左耳用イヤホン装置では、音通筒体５５が、ケース本体３１の左半分側に形成され斜め上方向に突出している。
【００４８】
右耳用イヤホン装置では、図示は省略するが、音通筒体５５は、音通孔５３の中心軸Ｘ１が、ケース本体３１の前面カバー３１ｂを横切って前後を結ぶ中心軸Ｘ２と交わらない並行な状態で、ケース本体３１の右半分側に寄って位置するよう形成されており、音通筒体５５は、音通孔５３の中心軸Ｘ１がケース本体３１の右半分側に位置し、右側斜め上方向に突出するよう形成されている。
【００４９】
しかも、音通筒体５５は、例えば正面側から見た図４Ｂに示すように、この中心軸Ｘ１がケース本体３１の垂直面Ｙ１にあって上側から４５°〜８５°の角度（Ｓ１）で斜め上方向に向けて形成されている（左右同様である。）。
【００５０】
なお、上側からの角度（Ｓ１）は、経験則から６０°〜８０°程度がより好ましいことが分かっているが、個人差も考慮すると、上述したように４５°〜８５°の範囲で実施可能である。
【００５１】
さらに、音通筒体５５は、ケース本体３１前面の例えば左半分（右半分）の領域において、例えば前面カバー３１ｂの前面側からこれを見た図４Ｃに示すように、９０°未満の角度（Ｓ２）領域（斜線領域）に音通孔５３の中心軸Ｘ１（中心点Ｐ）が位置するようほぼ片半分領域に形成されている。
【００５２】
図５は、前面カバー３１ｂ側から本発明に係る左耳用イヤホン装置を見た状態を、イヤーチップ５７を装着する前の状態で示している。
【００５３】
音通筒体５５外周には、弾力性に富む可撓性の絶縁性合成樹脂から円筒状又は二重円筒状に成形加工されたイヤーチップ（イヤパット、イヤピース）５７が着脱可能にはめ込むようにして固定されている。このイヤーチップ５７は、後述するように、使用時、その外周が外耳道２５内壁に弾性的に当接する。
【００５４】
図６Ａは音通筒体５５外周にイヤーチップ５７を装着した状態を示す正面図であり、同図Ｂは同図Ａ中のＣ−Ｃ間断面を示す断面図である。
【００５５】
このようなイヤホン装置では、コイル５７へ音声信号を印加することにより、駆動部４７が振動膜４７を振動発音させ、振動音が音通筒体５５の音通孔５３から外部へ伝搬される。
【００５６】
そして、本発明に係るイヤホン装置は、図９に示したように、耳珠１７、対珠１９、耳甲介２１で囲まれた耳甲介腔２３にケース本体３１を収納するとともに、先端のイヤーチップ５７を外耳道２５に挿入して装着使用される。
【００５７】
図７は、本発明に係るイヤホン装置を耳甲介腔２３にケース本体３１を収納するとともに、音通筒体５５（イヤーチップ５７）を外耳道２５に挿入して装着使用した状態を示す断面図である。
【００５８】
このように、本発明のイヤホン装置では、ケース本体３１と、このケース本体３１内に支持された振動膜４５と、この振動膜４５に対面するようにそのケース本体３１の前面側から突出するよう形成され、その振動膜４５の振動によって発音された音を外部に向けて導く音通孔５３を形成する音通筒体５５と、そのケース本体３１内に形成され、印加された音声信号によって振動膜４５を駆動させる駆動部４７と、を具備し、その音通筒体５５は、ケース本体３１を上面側又は下面側から見たとき、音通孔５３の中心軸Ｘ１がそのケース本体３１の前後を結ぶ中心軸Ｘ２と交わらない状態で、ケース本体３１の左半分側又は右半分側に寄せて形成されるとともに、その音通孔５３の中心軸Ｘ１が左半分側に位置するとき、その音通筒体５５は左側斜め上方向に突出され、その音通孔５３の中心軸Ｘ１が右半分側に位置するとき、その音通筒体５５は右側斜め上方向に突出されてなる構成である。
【００５９】
上述したように、使用者の直立状態で外耳道２５が耳珠１７に寄った位置で上向き方向に開孔されていても、本発明のイヤホン装置は、イヤホン本体３１の中心軸Ｘ２に対し、音通筒体５５（音通孔５３）が左右の耳に合うようにずれた位置に配置されるとともに斜め上方向に形成されているから、使用者の外耳道２５に沿って自然な角度で音通筒体５５（イヤーチップ５７）が外耳道２５に挿入される。
【００６０】
そのため、本発明のイヤホン装置では、音通筒体５５にはめるイヤーチップ５７が均一な圧力で外耳道２５に当接し、一般の使用者の耳形状により合った状態で耳甲介腔２３内にケース本体３１が収納される。
【００６１】
しかも、イヤホン本体３１の外形形状を適当に選定して一般的耳甲介腔２３の空間より小さくすることにより、ケース本体３１およびケーブル５１が、耳の各部位に過度に圧接することなく、快適な装着感が得られるうえ、装着性が格段に向上するとともに、装着の違和感も極めて減少する。
【００６２】
さらに、本発明によるイヤホン装置は、基本的に、外耳道２５に挿入されて均一な圧力で当接されたイヤーチップ５７（音通筒体５５）と、ケース本体３１における音通筒体５５付け根近傍の耳珠１７への接触とにより、安定的に装着されるが、ケース本体３１における耳甲介腔２３（耳甲介２１）側一部がその耳甲介腔２３（耳甲介２１）に接触することにより、例えば運動時等、振動の生じ易い使用形態でも安定的に装着可能である。
【００６３】
また、耳甲介腔２３内に装着されたケース本体３１が耳甲介腔２３内で動き難くなり、密閉性がより改善され、設計通りの駆動音の発音が容易となり、特に挿入式構成において再生音の高音質化（高品質化）が容易である。
【００６４】
しかも、本発明のイヤホン装置は、音通筒体５５が、左耳用イヤホン装置では、図２に示したようにこの方向から見た場合、そのケース本体３１の左半分側において斜め上方向に突出され、右耳用イヤホン装置では、そのケース本体３１の右半分側において斜め上方向に突出されてなるから、左右の耳に対応した専用構成において、上述した効果が得られる。
【００６５】
本発明のイヤホン装置では、音通筒体５５が、この中心軸Ｘ１がケース本体３１を通る垂直面Ｙ１から４５°〜８５°の角度（Ｓ１）で斜め上方向に突出するよう形成すると、特に、種々の耳形状の使用者に対し、より適する上述した効果が得られる。
【００６６】
さらに、本発明のイヤホン装置では、音通筒体５５で形成される音通孔５３の中心軸Ｘ１（中心点Ｓ）が、そのケース本体３１前面の左半分又は右半分の領域において、９０°未満の角度（Ｓ２）領域に音通孔５３が位置するよう形成すると、特に、種々の耳形状の使用者に対し、より適する上述した効果が得られる。
【００６７】
そして、上述した（１）〜（３）の３条件、すなわち、イヤーチップ５７の外耳道２５への均一な押圧、ケース本体３１の耳珠１７への適度な圧接、ケース本体部３１の耳甲介腔２３内への収容といった装着条件の確保が容易である。
【００６８】
もっとも、本発明のイヤホン装置では、９０°未満の角度（Ｓ２）領域に音通孔５３の中心軸Ｘ１（中心点）が位置する構成に限定されず、音通孔５３の中心軸Ｘ１（中心点）が、そのケース本体３１前面の左半分又は右半分の領域において、１８０°の角度（Ｓ２）領域に位置するよう形成しても、ある程度の効果が期待できる。
【００６９】
ところで、本発明のイヤホン装置では、図８Ａ、Ｂに示すように、ケース本体３１の外周にあって音通筒体５５の付け根近傍がケース本体３１の外側へ膨らむように部分的に突出する膨出部５９を形成して実施することが可能である。
【００７０】
図９は、膨出部５９を有するケース本体３１を用いてイヤホン装置を構成し、これを装着した状態を示す断面図である。
【００７１】
このような膨出部５９を形成することにより、音通筒体５５の中心軸Ｘ１をより外側へ位置させることが可能となり、音通筒体５５をケース本体３１の左半分側又は右半分側にて外側（側部）へ大きく寄せて形成し、種々の使用者の耳構成に対応することが容易である。
【００７２】
なお、この構成では、ケース本体３１とともに音通筒体５５の付け根近傍が外側へ膨らむよう、双方を一体的かつ部分的に膨出させた形状の膨出部５９で実施可能である。
【００７３】
さらに、使用者の外耳道２５の形状は、殆んど例外なく横断面が縦長の楕円状であることから、本発明のイヤホン装置では、音通筒体５５の横断面外形状を縦長の楕円又は長円形状にすることにより、外耳道２５へのイヤーチップ５７の密着が良好になる。
【００７４】
もっとも、音通筒体５５の横断面外形状を縦長の楕円又は長円形状にする以外に、イヤーチップ５７の横断面外形状のみを縦長の楕円又は長円形状にする構成や、音通筒体５５およびイヤーチップ５７双方の横断面外形状をそのように形成する構成も可能である。
【００７５】
また、上述した構成では、基部３１ａおよび前面カバー３１ｂでケース本体３１を形成したが、本発明のイヤホン装置ではこれに限定されず、公知の形状のケース本体３１で実施可能であり、このケース本体３１内に振動膜４７を支持し、この振動膜４７に対面するように前面側から音通筒体５５を突出するよう形成した構成で実施可能である。
【符号の説明】
【００７６】
１、３１  ケース本体
１ａ、３１ａ  基部
１ｂ、３１ｂ  前面カバー
３、３９  ヨーク
５、４１  マグネット
７、４７  振動膜
９、４３  コイル
１１、５３  音通孔
１３、５１  ケーブル
１５、４７  駆動部
１７  耳珠
１９  対珠
２１  耳甲介
２３  耳甲介腔
２５  外耳道
２７、５５  音通筒体
２９、５７  イヤーチップ（イヤパット、イヤピース）
３３  凹部
３５  銘板
３７  収納スペース
４９  端子
５９  膨出部
Ｐ  中心点
Ｓ１、Ｓ２  角度
Ｘ１、Ｘ２  中心軸
Ｙ１  垂直面
【図１】
2015005790.tif 000003
【図２】
2015005790.tif 000004
【図３】
2015005790.tif 000005
【図４】
2015005790.tif 000006
【図５】
2015005790.tif 000007
【図６】
2015005790.tif 000008
【図７】
2015005790.tif 000009
【図８】
2015005790.tif 000010
【図９】
2015005790.tif 000011
【図１０】
2015005790.tif 000012
【図１１】
2015005790.tif 000013